(57)【要約】【課題】金属部品の洗浄に使用する灯油の廃油量を削減するとともに資源の無駄を防止し、安全かつ簡便に金属部品を洗浄することができる金属部品洗浄装置、並びに、その装置を備えた移動可能な台車、及び、その装置を含む金属部品洗浄キットなどを提供すること。【解決手段】金属部品を洗浄するための灯油を収容する密閉可能な容器と、前記灯油内に乱流を発生させる乱流発生手段と、前記乱流を発生させて前記金属部品を洗浄することにより浮遊する浮遊物を除去する浮遊物除去手段と、前記容器内に発生する油霧又は油煙を除去する油霧除去手段と、を備える金属部品洗浄装置は、洗浄液である灯油の廃油量を削減するとともに資源の無駄を防止し、安全かつ簡便に金属部品を洗浄することができる。【選択図】  図１
2007105600.tif 000002
【特許請求の範囲】
【請求項１】
金属部品を洗浄するための灯油を収容する密閉可能な容器と、
前記灯油内に乱流を発生させる乱流発生手段と、
前記乱流を発生させて前記金属部品を洗浄することにより浮遊する浮遊物を除去する浮遊物除去手段と、
前記容器内に発生する油霧又は油煙を除去する油霧除去手段と、
を備えることを特徴とする金属部品洗浄装置。
【請求項２】
前記乱流発生手段は、エアを供給するノズルを備えることを特徴とする請求項１に記載の金属部品洗浄装置。
【請求項３】
前記油霧除去手段は、前記油霧又は油煙を捕獲するフィルタを備えることを特徴とする請求項１又は２に記載の金属部品洗浄装置。
【請求項４】
前記フィルタが、金属メッシュフィルタであることを特徴とする請求項３に記載の金属部品洗浄装置。
【請求項５】
前記浮遊物除去手段は、ストレーナを備えることを特徴とする請求項１〜４のいずれかに記載の金属部品洗浄装置。
【請求項６】
前記ストレーナにより前記浮遊物を除去した前記灯油を前記容器内に供給する手段をさらに備えることを特徴とする請求項５に記載の金属部品洗浄装置。
【請求項７】
前記容器に灯油を排出する排出口を備えることを特徴とする請求項１〜６のいずれかに記載の金属部品洗浄装置。
【請求項８】
前記容器内に金属部品を保持するための金属メッシュプレートを備えることを特徴とする請求項１〜７のいずれかに記載の金属部品洗浄装置。
【請求項９】
請求項１〜８のいずれかに記載の金属部品洗浄装置を備える台車。
【請求項１０】
請求項１〜８のいずれかに記載の金属部品洗浄装置と、前記金属部品を保持するステンレスメッシュネット又はステンレス籠とを含むことを特徴とする金属部品洗浄キット。
【発明の詳細な説明】
【技術分野】
【０００１】
本発明は、安全かつ簡便に金属部品の洗浄を効率よく行うことができる金属部品洗浄装置に関する。
【背景技術】
【０００２】
金属部品等に付着した汚れや防錆剤等の付着物を除去するために、従来、灯油を用いて手で洗浄したり、部品洗浄装置で洗浄したりしている（特許文献１参照）。しかしながら、灯油を用いて金属部品を洗浄する場合には、油霧又は油煙の発生により人体に悪影響を及ぼしたり、洗浄後に多量の廃油が発生したりするなどの問題点が指摘されている。
【特許文献１】特開平０７−２４１５３５号公報
【発明の開示】
【発明が解決しようとする課題】
【０００３】
そこで、本発明は、廃油の発生量を削減するとともに資源（灯油）の無駄を防止し、安全かつ簡便に金属部品を洗浄することができる金属部品洗浄装置、並びに、その装置を備えた移動可能な台車、及び、その装置を含む金属部品洗浄キットなどを提供することを目的とする。
【課題を解決するための手段】
【０００４】
上記課題を解決するために、本発明に係る金属部品洗浄装置は、金属部品を洗浄するための灯油を収容する密閉可能な容器と、前記灯油内に乱流を発生させる乱流発生手段と、前記乱流を発生させて前記金属部品を洗浄することにより浮遊する浮遊物を除去する浮遊物除去手段と、前記容器内に発生する油霧又は油煙を除去する油霧除去手段などを備える。前記乱流発生手段は、エアを供給するノズルを備えていてもよい。また、前記油霧除去手段は、前記油霧又は油煙を捕獲するフィルタを備えていてもよい。前記フィルタは、例えば、金属メッシュフィルタなどである。
【０００５】
前記浮遊物除去手段は、ストレーナを備えていてもよい。このようにストレーナを備える場合には、前記ストレーナにより前記浮遊物を除去した前記灯油を前記容器内に供給する手段をさらに備えさせてもよい。前記容器に灯油を排出する排出口を備えることとしてもよい。前記容器内に金属部品を保持するための金属メッシュプレートを備えることとしてもよい。
【０００６】
本発明に係る台車は、上述のような金属部品洗浄装置を備える。
【０００７】
また、本発明に係る金属部品洗浄キットは、上述のような金属部品洗浄装置と、前記金属部品を保持するステンレスメッシュネット又はステンレス籠とを含む。
【発明の効果】
【０００８】
本発明によれば、廃油の発生量を削減するとともに資源（灯油）の無駄を防止し、安全かつ簡便に金属部品を洗浄することができる金属部品洗浄装置、並びに、その装置を備えた移動可能な台車、及び、その装置を含む金属部品洗浄キットなどを提供することができる。
【発明を実施するための最良の形態】
【０００９】
以下、好ましい実施の形態につき、添付図面を用いて詳細に説明する。
【００１０】
＝＝金属部品洗浄装置の構成＝＝
図１は、本発明の一実施形態として説明する金属部品洗浄装置の構成図を示す。図１に示すように、本発明に係る金属部品洗浄装置１００は、容器１０、エア供給ノズル２０、油霧除去装置３０、浮遊物除去装置４０などを備える。
【００１１】
容器１０は、金属部品を洗浄するための灯油を入れるためのものである。容器１０は蓋１１によって密閉できるようになっている。
【００１２】
エア供給ノズル２０は、容器１０内に注がれた灯油中にエアを供給する装置である。このようにエア供給ノズル２０によって灯油中にエアを供給することで灯油内に乱流を発生させることができるようになる。なお、灯油中に供給されるエアは、例えば、コンプレッサー２２（エア供給装置）によって作られ、コンプレッサー２２から配管２１を通って供給されることとしてもよいし、ガスボンベから配管２１を通って供給されることとしてもよい。
【００１３】
油霧除去装置３０は、容器１０内の気相に発生する油霧、油煙などを除去するためのものである。図２に、本発明の一実施形態として説明する油霧除去装置３０の構成図を示す。図２に示すように、油霧除去装置３０は、配管３１を介して容器１０から導入した油霧、油煙などを捕獲するフィルタ３２と、フィルタ３２によって油霧、油煙などを除去した空気（油分の無い空気）を排出するための排気口３３と、油霧、油煙などがフィルタ３２に接触することにより油滴となり、油霧除去装置３０内の下部に溜まった灯油を排出するための灯油排出口３４と、灯油排出口３４から灯油の排出を制御するバルブ３５などを備える。なお、油霧除去装置３０は、１枚のフィルタ３２を備えることとしてもよいが、図２に示すように、複数枚のフィルタ３２を備えることとしてもよい。このように複数枚のフィルタ３２を備えることにより、油霧、油煙などを効率的に捕獲することが可能となる。前記フィルタ３２は、油霧、油煙などを捕獲することができれば材質、網目、厚さなどの構成は特に制限されるものではないが、例えば、図３に示すような２mm以下の細かいメッシュで構成された金属製の網を積層した金属メッシュフィルタであっても構わない。
【００１４】
また、油霧除去装置３０は、容器１０内の気相に発生した油霧、油煙などを取り込むためのファンなどをさらに備えることとしてもよい。これにより、容器１０内の気相に発生した油霧や油煙などを効率よく除去することができるようになる。
【００１５】
浮遊物除去装置４０は、灯油内に乱流を発生させて金属部品を洗浄することにより容器１０内の灯油相に浮遊した浮遊物を除去する装置である。容器１０内に浮遊した浮遊物は灯油とともにポンプ４１によって吸入され、配管４２を介して供給される。前記浮遊物除去装置４０は、例えば、浮遊物と灯油とを分離する固液分離装置であってもよいし、フィルタ、ストレーナ等を備える濾過器やこし器であってもよい。なお、浮遊物除去装置４０によって浮遊物を除去した灯油は、配管４３を介して容器１０内に戻される。
【００１６】
以上のように、本発明に係る金属部品洗浄装置１００は、上述のような装置を備えることにより、灯油内に乱流を発生させて金属部品を簡便に洗浄することができる。また、容器１０内の気相に発生する油霧や油煙などを除去することができるので安全に金属部品を洗浄することができる。さらに、容器１０内の灯油相に浮遊する浮遊物を除去することができるので灯油の汚染を防止して廃油の発生量を削減するとともに灯油の使用量を削減できるようになる。
【００１７】
なお、本実施の形態においては、エア供給ノズル２０によって灯油内に乱流を発生させることとしているが、容器１０内に撹拌機を設けて灯油内に乱流を発生させることとしてもよいし、容器１０内の灯油をポンプ等によって循環させて灯油内に乱流を発生させることとしてもよい。
【００１８】
また、本発明に係る金属部品洗浄装置１００は、油霧除去装置３０により回収した灯油を再利用できるようにバルブ３５と容器１０とを接続する配管を設けることとしてもよい。これにより、油霧除去装置３０によって回収した灯油を有効に利用することができるようになる。
【００１９】
本発明に係る金属部品洗浄装置１００は、図１に示すように、洗浄する金属部品を容器１０内に保持するための金属メッシュプレート５０（例えば、ステンレスメッシュプレート）を備えることとしてもよい。これにより、流れの強い所に洗浄する金属部品を設置することができるようになる。なお、金属メッシュプレート５０は、固定式であっても脱着式であっても構わない。
【００２０】
また、本発明に係る金属部品洗浄装置１００は、図１に示すように、容器１０内の灯油を排出するための灯油排出口６０をさらに設けることとしてもよい。これにより容器１０内の灯油の取替が容易に行うことができる。
【００２１】
さらに、本発明に係る金属部品洗浄装置１００により金属部品を洗浄する際には、金属部品を保持（収容）するステンレスメッシュネット又はステンレス籠を用いて行うことが好ましい。これにより、容器１０内への金属部品の出し入れが容易になる。また、本発明に係る金属部品洗浄装置１００を台車上に備えることとしてもよい。これにより、移動可能な金属部品洗浄装置１００を提供することができるようになる。
【００２２】
＝＝金属部品洗浄装置の処理＝＝
次に、本実施の形態における金属部品洗浄装置の処理の一例について説明する。
【００２３】
灯油が入った容器１０内に、金属部品を収容したステンレスメッシュネット又はステンレス籠を浸して蓋１１で密閉する。次に、コンプレッサー２２から配管２１を介してエアを各エア供給ノズル２０に供給する。これにより、容器１０内にエアが供給されて灯油内に乱流が発生し、金属部品の洗浄が行われ、少なくとも金属部品に付着した防錆剤が除去される。
【００２４】
金属部品の洗浄中に容器１０内の気相に発生した油霧や油煙は、配管３１を通って油霧除去装置３０に供給される。油霧除去装置３０に供給された油霧や油煙は、フィルタ３２などによって油滴となって油霧除去装置３０内の下部に溜まり、溜まった灯油はバルブ３５によって灯油排出口３４から排出される。一方、フィルタ３２によって油霧、油煙などを除去した空気（油分の無い空気）は排気口３３から排出される。
【００２５】
また、金属部品の洗浄によって容器１０内に浮遊した浮遊物は灯油とともにポンプ４１によって吸入され、配管４２を介して浮遊物除去装置４０に供給される。浮遊物を含む灯油は、浮遊物除去装置４０により浮遊物が分離除去される。浮遊物が除去された灯油は、配管４３を介して容器１０内に戻される。
【図面の簡単な説明】
【００２６】
【図１】本発明の一実施形態として説明する金属部品洗浄装置の構成を示す図である。
【図２】本発明の一実施形態として説明する油霧除去装置の構成を示す図である。
【図３】本発明の一実施形態として説明する金属メッシュフィルタの構成を示す図である。
【符号の説明】
【００２７】
１０  容器                        １１  蓋
２０  エア供給ノズル              ２１  配管
２２  コンプレッサー              ３０  油霧除去装置
３１  配管                        ３２  フィルタ
３３  排気口                      ３４  灯油排出口
３５  バルブ                      ４０  浮遊物除去装置
４１  ポンプ                      ４２，４３  配管
５０  金属メッシュプレート        ６０  灯油排出口
１００  金属部品洗浄装置
【図１】
2007105600.tif 000003
【図２】
2007105600.tif 000004
【図３】
2007105600.tif 000005